(57)【要約】      （修正有）【課題】雑草に注ぐ光を減じつつ除草剤を散布することができる除草具を提供する。【解決手段】除草具１００は、包囲本体１０１と蓋体１１０とを備えている。包囲本体１０１は、草収容部１０２と上側筒部１０５とをそれぞれ有して筒状に形成されている。草収容部１０２は、一本または数本の草Ｇｒを収容可能な筒状に形成されている。上側筒部１０５は、草収容部１０２と同心であって草収容部１０２の内径および外径よりも小径の円筒状に形成されている。上側筒部１０５の内部には、蓋体１１０の底部材１１３を破る破壊部１０７が形成されている。蓋体１１０は、天井部１１１と薬剤収容部１１２とをそれぞれ有して円筒状に形成されている。天井部１１１は、上側筒部１０５を閉塞する円板状に形成されている。薬剤収容部１１２は、上側筒部１０５内に嵌合するとともに除草剤１１４を収容する筒状に形成されており、下端部が底部材１１３で閉塞されている。【選択図】図５
2020137490.tif 000002
【特許請求の範囲】
【請求項１】
地面から生える草の周囲を包囲する空洞部を有した筒体で構成された包囲本体を備え、
前記包囲本体は、
前記筒体における一方の端部側が前記草を挿通可能な大きさに開口した草挿入開口部と、
前記筒体における他方の端部側が開口した天井開口部とを有することを特徴とする除草具。
【請求項２】
請求項１に記載した除草具において、
前記包囲本体は、
前記筒体における前記天井開口部側が前記草挿入開口部側よりも小径に形成されていることを特徴とする除草具。
【請求項３】
請求項１または請求項２に記載した除草具において、さらに、
前記天井開口部に対して着脱自在に塞ぐ蓋体を備えたことを特徴とする除草具。
【請求項４】
請求項３に記載した除草具において、
前記蓋体は、
前記草を枯らす除草剤を収容する薬剤収容部を有することを特徴とする除草具。
【請求項５】
請求項４に記載した除草具において、
前記蓋体は、
前記天井開口部を覆う天井部を有しており、
前記薬剤収容部は、
前記天井部に対して下方に延びて前記包囲本体内に挿入される筒状に形成されるとともに下端部に開口自在な膜状の底部材を有することを特徴とする除草具。
【請求項６】
請求項５に記載した除草具において、
前記包囲本体は、
前記筒体内に前記薬剤収容部における前記底部材を破壊する破壊部を有することを特徴とする除草具。
【発明の詳細な説明】
【技術分野】
【０００１】
本発明は、地面上にピンポイントで生えた雑草を枯らすことができる除草具に関する。
【背景技術】
【０００２】
従来から、地面上にピンポイントで生えた雑草を個別に枯らすことができる除草具が提案されている。例えば、下記特許文献１には、のり面または路肩に成育した雑草に被せるキャップ状に形成されて遮光によって雑草を枯らす除草具としての雑草防止キャップが開示されている。
【先行技術文献】
【特許文献】
【０００３】
【特許文献１】特開２００１−７３３３６号公報
【０００４】
しかしながら、上記特許文献１に記載した除草具においては、雑草を上方から完全に覆うキャップ状に形成されているため、地面上に生える雑草に対して除草効果を高める除草剤を散布することができない。したがって、雑草に対して除草剤を散布する場合においては、除草具を被せる前に除草剤を散布しなければならないため、除草対象の雑草の周囲に除草剤を付着させたくない物、例えば、芝などの除草対象外の植物にまで除草剤が付着してしまうという問題がある。
【発明の概要】
【０００５】
本発明は上記問題に対処するためなされたもので、その目的は、雑草に注ぐ光を減じつつ除草剤を散布することができる除草具を提供することにある。
【０００６】
上記目的を達成するため、本発明の特徴は、地面から生える草の周囲を包囲する空洞部を有した筒体で構成された包囲本体を備え、包囲本体は、筒体における一方の端部側が草を挿通可能な大きさに開口した草挿入開口部と、筒体における他方の端部側が開口した天井開口部とを有することにある。ここで、地面とは、畑、運動場、競技場、庭、のり面、路肩、道などの土地の表面のほか、植木鉢などの容器に詰められた土の表面を含むものである。
【０００７】
このように構成した本発明の特徴によれば、除草具は、地面から生える草の周囲を包囲する空洞部を有した筒体で構成された包囲本体を有しているため、この包囲本体を草挿入開口部から草に被せることで草の上方が天井開口部によって開口した状態で草の周囲を覆うことができる。これにより、除草具は、草の周囲を包囲しながら天井開口部を介して包囲本体内の草に対してのみ除草剤を塗布することができる。すなわち、本願発明に係る除草具によれば草に注ぐ光を減じつつ除草剤を散布することができ、除草対象の草の周囲に除草剤を付着させたくない物、例えば、芝などの除草対象外の植物にまで除草剤が付着してしまうことを防止することができる。
【０００８】
また、本発明の他の特徴は、前記除草具において、包囲本体は、筒体における天井開口部側が草挿入開口部側よりも小径に形成されていることにある。
【０００９】
このように構成した本発明の他の特徴によれば、除草具は、包囲本体が筒体における天井開口部側が草挿入開口部側よりも小径に形成されているため、包囲本体内への除草剤の注入を可能としつつ包囲本体内への光、雨および雪などの進入を抑制して草を効果的に枯らすことができる。
【００１０】
また、本発明の他の特徴は、前記除草具において、さらに、天井開口部に対して着脱自在に塞ぐ蓋体を備えたことにある。
【００１１】
このように構成した本発明の他の特徴によれば、除草具は、天井開口部に対して着脱自在に塞ぐ蓋体を備えているため、除草剤を注入後に包囲本体上に蓋体を配置することで包囲本体内を閉塞空間とすることができ、除草剤の揮発による減少を抑えることができるとともに包囲本体内への光、雨および雪などの進入を抑制して草を効果的に枯らすことができる。
【００１２】
また、本発明の他の特徴は、前記除草具において、蓋体は、草を枯らす除草剤を収容する薬剤収容部を有することにある。
【００１３】
このように構成した本発明の他の特徴によれば、除草具は、蓋体が草を枯らすことができる除草剤を収容する薬剤収容部を有しているため、別途除草剤を用意する必要がなく迅速かつ手軽に草を枯らすことができる。
【００１４】
また、本発明の他の特徴は、前記除草具において、蓋体は、天井開口部を覆う天井部を有しており、薬剤収容部は、天井部に対して下方に延びて包囲本体内に挿入される筒状に形成されるとともに下端部に開口自在な膜状の底部材を有することにある。
【００１５】
このように構成した本発明の他の特徴によれば、除草具は、薬剤収容部が天井部に対して下方に延びて包囲本体内に挿入される筒状に形成されるとともに下端部に開口自在な膜状の底部材を有しているため、底部部材を開口することで迅速かつ手軽に草に除草剤を投与することができる。この場合、底部部材は、アルミニウムなどの金属製、樹脂製または紙製のシート状またはフィルム状に形成されており、針または刃物で容易に破ることができるように構成できるほか、人手によって容易に剥がすことができるように構成することができる。
【００１６】
また、本発明の他の特徴は、前記除草具において、包囲本体は、筒体内に薬剤収容部における底部材を破壊する破壊部を有することにある。
【００１７】
このように構成した本発明の特徴によれば、除草具は、包囲本体内に薬剤収容部における底部材を破壊する破壊部を有しているため、薬剤収容部を包囲本体内に挿入することで破壊部が底部材の一部または全部を破壊して薬剤収容部内の除草剤を漏出させることができ、手軽にかつ手に除草剤を付着させることなく除草剤を包囲本体内の草に付着させることができる。
【図面の簡単な説明】
【００１８】
【図１】本発明に係る除草具の外観構成の概略を示す分解斜視図である。
【図２】図１に示した除草具の使用状態を示す斜視図である。
【図３】（Ａ），（Ｂ）は、図１に示した除草具を示しており、（Ａ）は（Ｂ）に示すＡ−Ａ線から見た除草具の断面図であり、（Ｂ）は除草具を構成する包囲本体の底面図である。
【図４】図１に示した除草具における包囲本体を草に被せた使用状態を示した断面図である。
【図５】図４に示した除草具における包囲本体上に蓋体を嵌合させた使用状態を示した断面図である。
【図６】本発明の変形例に係る除草具における包囲本体の構成の概略を示す断面図である。
【図７】本発明の他の変形例に係る除草具における包囲本体の構成の概略を示す断面図である。
【図８】本発明の他の変形例に係る除草具における蓋体の構成の概略を示す断面図である。
【図９】本発明の他の変形例に係る除草具における蓋体の構成の概略を示す断面図である。
【図１０】本発明の他の変形例に係る除草具における蓋体の構成の概略を示す斜視図である。
【図１１】（Ａ），（Ｂ）は、本発明の他の変形例に係る除草具を示しており、（Ａ）は（Ｂ）に示すＡ−Ａ線から見た除草具の断面図であり、（Ｂ）は除草具を構成する包囲本体の底面図である。
【発明を実施するための形態】
【００１９】
以下、本発明に係る除草具の一実施形態について図面を参照しながら説明する。図１は、本発明に係る除草具１００の外観構成の概略を示す分解斜視図である。また、図２は、図１に示した除草具１００の使用状態を示す斜視図である。また、図３（Ａ），（Ｂ）は、図１に示した除草具１００を示しており、（Ａ）は（Ｂ）に示すＡ−Ａ線から見た除草具１００の断面図であり、（Ｂ）は除草具１００を構成する包囲本体１０１の底面図である。この除草具１００は、地面Ｇに生えている雑草などの草Ｇｒを個別に被せて枯らすことができる器具である。
【００２０】
（除草具１００の構成）
除草具１００は、主として、包囲本体１０１と蓋体１１０とを備えている。包囲本体１０１は、草Ｇｒに被せる部品であり、樹脂材を筒状に形成して構成されている。より具体的には、包囲本体１０１は、主として、草収容部１０２と上側筒部１０５とをそれぞれ有して構成されている。
【００２１】
草収容部１０２は、草Ｇｒの周囲を覆う部分であり、一本または数本の草Ｇｒを収容可能な筒状に形成されている。本実施形態においては、草収容部１０２は、１，２本程度の草Ｇｒの周囲を包囲して収容する空洞部１０２ａを有した円筒状に形成されている。この場合、草収容部１０２は、上端部の内径および外径に対して下端部の開口部である草挿入開口部１０３の内径および外径が拡大するテーパ状に形成されている。具体的には、草収容部１０２は、上端部の外径が３０ｍｍ、下端部の外径が３６ｍｍ、高さが５５ｍｍ、肉厚が２ｍｍにそれぞれ形成されている。
【００２２】
この草収容部１０２における下端部の外周部には、差込み部１０４が設けられている。差込み部１０４は、包囲本体１０１を地面Ｇ上で固定するための部分であり、草収容部１０２の外周部における下端部に下方に下垂して先端部が尖った針状に形成されている。本実施形態においては、差込み部１０４は、草収容部１０２の周方向に均等な間隔で３つ形成されている。
【００２３】
上側筒部１０５は、草収容部１０２の上方に形成された部分であり、草収容部１０２よりも小径の筒状に形成されている。具体的には、上側筒部１０５は、草収容部１０２と同心であって草収容部１０２の内径および外径よりも小径の内径および外径の円筒状に形成されている。したがって、上側筒部１０５は、上端部に開口する天井開口部１０６が草収容部１０２の下端部に開口する草挿入開口部１０３よりも小径に形成されている。
【００２４】
また、上側筒部１０５の内径は、蓋体１１０の薬剤収容部１１２が嵌合する大きさに形成されている。また、上側筒部１０５の長さは、薬剤収容部１１２の長さと略同じ長さに形成されている。本実施形態においては、上側筒部１０５は、外径が１６ｍｍ、内径が１２ｍｍ、長さが１５ｍｍに形成されている。この上側筒部１０５の内部には、破壊部１０７が形成されている。
【００２５】
破壊部１０７は、上側筒部１０５内に挿し込まれる薬剤収容部１１２の底部材１１３を破って貫通孔を形成するための部分であり、上方に向かって尖った形状に形成されている。より具体的には、破壊部１０７は、上側筒部１０５の内周面の下端部における均等な間隔の３つの位置からそれぞれ中心部に向かって棒状に延びる支持部１０７ａと、この支持部１０７ａから上方に延びる破壊部本体１０７ｂとで構成されている。
【００２６】
破壊部本体１０７ｂは、断面形状がＣ字状の円筒に近い形状に形成されており、上端部が図示左側から右側に向かって斜めに下り傾斜して形成されている。これにより、破壊部本体１０７ｂは、傾斜した上端部における周方向の中央部が上方に向かって尖って形成されるとともに周方向における両端部に向かって下り傾斜に形成されている。また、破壊部本体１０７ｂは、傾斜した上端部が周方向の全域に亘って刃状に尖って形成されている。
【００２７】
この包囲本体１０１は、草収容部１０２と上側筒部１０５とが樹脂材料を用いた射出成形加工によって一体的に成形される。なお、包囲本体１０１は、射出成形以外の加工方法、例えば、切削加工によって成形することもできる。また、包囲本体１０１は、草収容部１０２と上側筒部１０５とを別体で成形した後、両者を組付けることで構成することもできる。また、この包囲本体１０１は、直射日光を減じるまたは完全に遮る不透明または半透明の樹脂材で構成されている。
【００２８】
蓋体１１０は、草Ｇｒを枯らす除草剤１１４を収容するとともに上側筒部１０５の天井開口部１０６を塞ぐ部品であり、樹脂材を円筒状に形成して構成されている。より具体的には、蓋体１１０は、天井部１１１と薬剤収容部１１２とをそれぞれ有して構成されている。
【００２９】
天井部１１１は、上側筒部１０５の天井開口部１０６を塞ぐ部分であり、天井開口部１０６の外径と略同じ外径の円板状に形成されている。本実施形態においては、天井部１１１は、外径が１６ｍｍ、板厚が１．５ｍｍに形成されている。
【００３０】
薬剤収容部１１２は、草Ｇｒを枯らす液体状の除草剤１１４を収容する部分であり、天井部１１１の下面から下垂する円筒状に形成されている。この場合、薬剤収容部１１２は、上側筒部１０５内に嵌合する外径に形成されるとともに、草Ｇｒを枯らすために必要な量の除草剤１１４を収容する内径および長さに形成されている。
【００３１】
本実施形態においては、薬剤収容部１１２は、外径が１１．５ｍｍ、内径が８．５ｍｍ、長さが１５ｍｍに形成されている。これにより、薬剤収容部１１２の内部空間は、約０．８ｃｃの容積を有している。この薬剤収容部１１２は、下端部の開口部が底部材１１３によって塞がれている。
【００３２】
底部材１１３は、薬剤収容部１１２の底部を塞いで除草剤１１４を薬剤収容部１１２内に液密的に収容するための部品であり、アルミニウム材を平面視で円形のシート状に形成して構成されている。この場合、底部材１１３は、前記した破壊部１０７が突き刺さることで破れるように構成されている。この底部材１１３は、薬剤収容部１１２の底部の開口部を覆った状態で外周縁部が薬剤収容部１１２の外周部の下端部に接着剤によって固着されている。
【００３３】
この蓋体１１０は、天井部１１１と薬剤収容部１１２とが樹脂材料を用いた射出成形加工によって一体的に成形される。なお、蓋体１１０は、射出成形以外の加工方法、例えば、切削加工によって成形することもできる。また、蓋体１１０は、天井部１１１と薬剤収容部１１２とを別体で成形した後、両者を組付けることで構成することもできる。また、この蓋体１１０は、直射日光を減じるまたは完全に遮る不透明または半透明の樹脂材で構成されている。
【００３４】
除草剤１１４は、草Ｇｒを枯らすための薬剤である。除草剤１１４は、薬剤収容部１１２内に収容可能でかつ底部材１１３が破壊されることで薬剤収容部１１２内から流出する形態であれば広く採用することができる。除草剤１１４には、薬剤が接触した全ての植物を枯らす非選択的除草剤と、特定の植物のみを枯らす選択的除草剤とがあるが、本実施形態においては非選択的除草剤で構成されている。また、除草剤１１４は、光合成を阻害するもの、光合成に関連する光色素の合成を阻害するもの、アミノ酸やタンパクの合成を阻害するもの、ホルモン作用をかく乱するもの、細胞分裂を阻害するもの、セルロースの合成を阻害するものまたは細胞膜を破壊するものなどを広く採用することができる。また、除草剤１１４は、液体状（粘性体も含む）のほか、粒状のものも採用することができる。
【００３５】
（除草具１００の作動）
次に、このように構成した除草具１００の作動について説明する。草Ｇｒの除草作業を行う作業者は、まず、除草具１００を用意する。具体的には、作業者は、包囲本体１０１と蓋体１１０とをそれぞれ別々に用意する。
【００３６】
次に、作業者は、図４に示すように、包囲本体１０１を除草対象となる草Ｇｒ（本実施形態においては、スギナ）に被せる。この場合、作業者は、草挿入開口部１０３側から包囲本体１０１を草Ｇｒに被せるとともに、３つの差込み部１０４を地面Ｇ内に差し込む。これにより、草Ｇｒは、周囲が包囲本体１０１の草収容部１０２によって包囲されつつ上方が天井開口部１０６によって開放された状態となる。この場合、草Ｇｒは、包囲本体１０１の草収容部１０２内にて起立した状態を保っていてもよいし、草収容部１０２に圧迫されて折れ曲がった状態であってもよい。
【００３７】
次に、作業者は、図２および図５にそれぞれ示すように、包囲本体１０１の上側筒部１０５内に蓋体１１０の薬剤収容部１１２を挿し込む。これにより、蓋体１１０は、薬剤収容部１１２の底部材１１３が上側筒部１０５内の破壊部１０７に突き当たる。この場合、作業者は、蓋体１１０を更に強く押し込むことで底部材１１３に破壊部１０７を貫通させて底部材１１３を破る。この場合、底部材１１３は、破壊部１０７のＣ字状の形状に対応してＣ字状に切り抜かれるため、Ｃ字状における底部材１１３と繋がった部分を基点としてＣ字状に切り抜かれた部分が上方に捲れて底が抜ける。
【００３８】
これにより、薬剤収容部１１２内に密封されている除草剤１１４は、底部材１１３における破れた部分を介して下方に流出して草収容部１０２内の草Ｇｒに付着する。この場合、除草具１００は、草Ｇｒが包囲本体１０１によって包囲されているため、薬剤収容部１１２から流出した除草剤１１４が草Ｇｒの周囲に飛散して草Ｇｒの周囲に存在するもの、例えば、枯らしたくない芝や作物などに除草剤１１４が付着することを防止することができる。また、作業者は、１つの蓋体１１０での除草剤１１４の量で不足する場合には、新たな蓋体１１０を用意して再度上側筒部１０５内に挿し込むことで草Ｇｒに除草剤１１４を十分付着させることができる。
【００３９】
また、蓋体１１０は、天井部１１１が上側筒部１０５の天井開口部１０６を塞ぐ。これにより、草Ｇｒは、地面Ｇから露出した部分が包囲本体１０１および蓋体１１０によって覆われた状態となり草Ｇｒに付着した除草剤１１４の風による蒸発および雨や雪による流出を防止することができる。したがって、作業者は、草Ｇｒが包囲本体１０１および蓋体１１０によって覆われた状態を数日間維持することで草Ｇｒを枯らすことができる。
【００４０】
この場合、蓋体１１０は、薬剤収容部１１２が上側筒部１０５内に挿し込まれているため、風や雨によって包囲本体１０１から容易に外れることはない。また、包囲本体１０１は、差込み部１０４が地面Ｇ内に差し込まれているため、風や雨によって地面Ｇから容易に外れることはない。また、作業者は、草Ｇｒを枯らすまでの間、包囲本体１０１上の蓋体１１０を取り外すことで草収容部１０２内の草Ｇｒの状態を確認することができる。この場合、作業者は、草Ｇｒの枯れ具合が不十分である場合には、新たな蓋体１１０を用意して上側筒部１０５内に挿し込むことで除草剤１１４を追加することができる。
【００４１】
次に、草Ｇｒを枯らすことができた場合には、作業者は、除草具１００を地面Ｇから取り除く。具体的には、作業者は、地面Ｇ上から包囲本体１０１を引き抜くことで除草具１００を地面Ｇから取り除くことができる。この場合、作業者は、地面Ｇ上から引き抜いた包囲本体１０１を別の草Ｇｒを枯らすために再度使用することができる。
【００４２】
上記作動説明からも理解できるように、上記実施形態によれば、除草具１００は、地面Ｇから生える草Ｇｒの周囲を包囲する空洞部１０２ａを有した筒体で構成された包囲本体１０１を有しているため、この包囲本体１０１を草挿入開口部１０３から草Ｇｒに被せることで草Ｇｒの上方が天井開口部１０６によって開口した状態で草Ｇｒの周囲を覆うことができる。これにより、除草具１００は、草Ｇｒの周囲を包囲しながら天井開口部１０６を介して包囲本体１０１内の草Ｇｒに対してのみ除草剤１１４を塗布することができる。すなわち、本願発明に係る除草具１００によれば草Ｇｒに注ぐ光を減じつつ除草剤１１４を散布することができ、除草対象の草Ｇｒの周囲に除草剤１１４を付着させたくない物、例えば、芝などの除草対象外の植物にまで除草剤１１４が付着してしまうことを防止することができる。
【００４３】
さらに、本発明の実施にあたっては、上記実施形態に限定されるものではなく、本発明の目的を逸脱しない限りにおいて種々の変更が可能である。なお、下記各変形例の説明に使用する図面においては、上記実施形態と同様の構成部分または対応する構成部分については同じ符号を付して、その説明を省略する。
【００４４】
例えば、上記実施形態においては、包囲本体１０１は、草収容部１０２の上方に蓋体１１０が嵌合する上側筒部１０５を備えて構成した。しかし、包囲本体１０１は、図６に示すように、上側筒部１０５を省略して構成することができる。この場合、天井開口部１０６は、包囲本体１０１の上端部に形成される。このように構成した除草具１００によれば、天井開口部１０６によって光や雨が草収容部１０２内に入り込むことで除草効果は上記実施形態よりも低下するが、包囲本体１０１自体の構成を簡単化することができるとともに蓋体１１０も省略することができるため除草具１００の構成も簡単化することができる。
【００４５】
また、上記実施形態においては、包囲本体１０１は、天井開口部１０６側が草挿入開口部１０３側よりも小径に形成されている。これにより、除草具１００は、包囲本体１０１内への除草剤１１４の注入を可能としつつ蓋体１１０を配置するまでの間において包囲本体１０１内への光、雨および雪などの進入を抑制して草Ｇｒを効果的に枯らすことができる。また、除草具１００は、蓋体１１０を省略した構成においても、包囲本体１０１内への除草剤１１４の注入を可能としつつ包囲本体１０１内への光、雨および雪などの進入を抑制して草Ｇｒを効果的に枯らすことができる。
【００４６】
また、包囲本体１０１は、草収容部１０２が草挿入開口部１０３側から天井開口部１０６側に向かって外径が連続的に縮小するテーパ状に形成されている。これにより、除草具１００は、包囲本体１０１をネスティングで積み重ねて保管および運搬を行うことができる。この場合、包囲本体１０１は、図７に示すように、草収容部１０２が草挿入開口部１０３側から天井開口部１０６側に向かって外径が連続的かつ段階的に縮小する形状に形成してもよいし、草収容部１０２が草挿入開口部１０３側から天井開口部１０６側に向かって外径が段階的にのみ縮小する形状（図示せず）に形成することもできる。しかし、包囲本体１０１は、草挿入開口部１０３側と天井開口部１０６側との間で外径を一定に形成することもできる。
【００４７】
また、上記実施形態においては、包囲本体１０１は、差込み部１０４を備えて構成した。しかし、包囲本体１０１は、差込み部１０４を省略して構成することもできる。
【００４８】
また、上記実施形態においては、包囲本体１０１は、円筒状に形成した。しかし包囲本体１０１は、筒状に形成されていればよい。したがって、包囲本体１０１は、断面形状が円形（楕円を含む）以外の形状、三角形状、四角形状、五角形状または六角形などの多角形状に形成することができる。
【００４９】
また、包囲本体１０１および蓋体１１０の大きさは、除草対象となる草Ｇｒの大きさに応じて適宜決定されるものであり、上記実施形態に限定されるものでないことは当然である。この場合、包囲本体１０１は、除草対象となる植物を少なくとも１本かつ数本の範囲で収容可能な大きさに形成される。
【００５０】
また、包囲本体１０１は、黒色などの濃色で構成することで草収容部１０２内の温度を高くして草Ｇｒを枯らし易くすることができる。また、包囲本体１０１は、黄色、赤色、青色などの緑色以外の色で構成することで芝生などにおける除草具１００の設置場所を確認し易くすることができる。
【００５１】
また、上記実施形態においては、蓋体１１０は、除草剤１１４を収容する薬剤収容部１１２を備えて構成した。しかし、蓋体１１０は、図８に示すように、底部材１１３を含む薬剤収容部１１２を省略して構成することもできる。この場合、蓋体１１０は、天井部１１１の下方に上側筒部１０５に嵌合する筒状または柱状の嵌合部１１５を形成するとよい。また、この場合、包囲本体１０１は、破壊部１０７を省略することができる。これによれば、作業者は、除草剤１１４を別途用意して包囲本体１０１内に除草剤１１４を注入した後に蓋体１１０の嵌合部１１５を上側筒部１０５内に挿し込んで草収容部１０２内を閉鎖空間とすることができる。
【００５２】
また、上記実施形態においては、蓋体１１０は、薬剤収容部１１２の全体が上側筒部１０５内に収容されるように構成した。しかし、蓋体１１０は、薬剤収容部１１２の少なくとも一部が上側筒部１０５内に収容されるように構成されるとよい。すなわち、蓋体１１０は、図９に示すように、薬剤収容部１１２を薬剤収容部１１２全体が上側筒部１０５内に収容できず上側筒部１０５内から張り出す長い長さの大容量に形成することで除草剤１１４の収容量を増大させることができる。
【００５３】
また、上記実施形態においては、蓋体１１０は、天井部１１１を平板上に形成して蓋体１１０を上側筒部１０５内に押し易く形成した。しかし、蓋体１１０は、図１０に示すように、天井部１１１上に上方に向かって壁状に起立する把持部１１１ａを形成して構成することもできる。これによれば、作業者は把持部１１１ａを把持することにより蓋体１１０の取り扱いを用意することができる。
【００５４】
また、上記実施形態においては、破壊部１０７は、平面視でＣ字状の円筒状に形成した。しかし、破壊部１０７は、底部材１１３に貫通孔を形成して薬剤収容部１１２内の除草剤１１４が漏出するように構成されていればよい。
【００５５】
したがって、破壊部１０７は、例えば、支持部１０７ａが上側筒部１０５の内周面の３ヶ所から中心部に向かって延びて同中心部で結合する３つの梁状体に形成されるとともに、破壊部本体１０７ｂが前記３つの梁状体の結合部分から上方に向かって起立する針状に形成することができる。これによれば、破壊部１０７は、底部材１１３に小径の貫通孔を形成して薬剤収容部１１２内の除草剤１１４が少しずつ漏出するように構成することができる。
【００５６】
また、破壊部１０７は、例えば、図１１に示すように、支持部１０７ａが上側筒部１０５の内周面の３ヶ所から中心部に向かって延びて同中心部で結合する３つの梁状体に形成されるとともに、破壊部本体１０７ｂが前記３つの梁状体からそれぞれ上方に向かって起立する壁状に形成されている。この場合、破壊部本体１０７ｂを構成する３つの壁体は、中心部から外側への壁体の張り出し量が上方側ほど段階的（図１１においては３段階）に少なくなって最終的に上端部で尖る形状に形成することもできる。これによれば、破壊部１０７は、薬剤収容部１１２の底部材１１３を３段階で拡径しながら破り最終的には略全開となる貫通孔を形成することができる。
【００５７】
また、蓋体１１０は、底部材１１３が破壊部１０７によって破られる以外の手法で除草剤１１４が流出するように構成することもできる。例えば、蓋体１１０は、底部材１１３が薬剤収容部１１２の下端部から人手で剥がせることができるように設けられていてもよいし、底部材１１３が薬剤収容部１１２の下端部に対して挿し込みまたは捩じ込みによって嵌合するキャップ状または栓状に構成することもできる。これによれば、除草具１００は、破壊部１０７を省略することができる。
【００５８】
また、上記実施形態においては、包囲本体１０１および蓋体１１０は、樹脂材で構成した。しかし、包囲本体１０１および蓋体１１０は、樹脂材以外の材料、例えば、セラミック材、ゴム材、金属材または紙材で構成することもできる。この場合、包囲本体１０１および蓋体１１０は、直射日光を減じるまたは完全に遮る不透明または半透明に構成することができる。また、包囲本体１０１および蓋体１１０は、草Ｇｒを主として除草剤１１４を用いて枯らす場合においては、透明に形成することもできる。また、包囲本体１０１および蓋体１１０は、包囲本体１０１を不透明または半透明に形成しつつ蓋体１１０を透明に形成することで包囲本体１０１内を視認し易くすることもできる。
【符号の説明】
【００５９】
Ｇｒ…草、Ｇ…地面、
１００…除草具、
１０１…包囲本体、１０２…草収容部、１０２ａ…空洞部、１０３…草挿入開口部、１０４…挿込み部、１０５…上側筒部、１０６…天井開口部、１０７…破壊部、１０７ａ…支持部、１０７ｂ…破壊部本体、
１１０…蓋体、１１１…天井部、１１１ａ…把持部、１１２…薬剤収容部、１１３…底部材、１１４…除草剤、１１５…嵌合部。
【図１】
2020137490.tif 000003
【図２】
2020137490.tif 000004
【図３】
2020137490.tif 000005
【図４】
2020137490.tif 000006
【図５】
2020137490.tif 000007
【図６】
2020137490.tif 000008
【図７】
2020137490.tif 000009
【図８】
2020137490.tif 000010
【図９】
2020137490.tif 000011
【図１０】
2020137490.tif 000012
【図１１】
2020137490.tif 000013